(57)【要約】【課題】光源信号が入力されたときにだけ内部電源を供給し、受光モジュール又は発光モジュールの動作を起動し、大幅に消費電力を節減する省エネ・省電力の光ファイバコネクタを提供する。【解決手段】省エネ・省電力の光ファイバコネクタは、電源供給モジュール３３、受光モジュール３１、発光モジュール３２、光変換回路モジュール３７、第１の電子スイッチ３５及び制御モジュール３４を備える。電源供給モジュール３３は、直流電源を供給する。受光モジュール３１は、電源供給モジュール３３と接続され、光源信号を受信し、受光モジュール３１内に設置された少なくとも１つの光センサ３１１により、受光モジュール３１に光源信号が入力されたか否かを検知する。発光モジュール３２は、光源信号を出力する。光変換回路モジュール３７は、受光モジュール３１が受信した光源信号を変換した後、発光モジュール３２へ伝送する。【選択図】図３Ａ
0003189880.tif 000002
【実用新案登録請求の範囲】
【請求項１】
電源供給モジュール、受光モジュール、発光モジュール、光変換回路モジュール、第１の電子スイッチ及び制御モジュールを備えた省エネ・省電力の光ファイバコネクタであって、
前記電源供給モジュールは、直流電源を供給し、
前記受光モジュールは、前記電源供給モジュールと接続され、光源信号を受信し、前記受光モジュール内に設置された少なくとも１つの光センサにより、前記受光モジュールに光源信号が入力されたか否かを検知し、
前記発光モジュールは、光源信号を出力し、
前記光変換回路モジュールは、前記受光モジュールが受信した光源信号を変換した後、前記発光モジュールへ伝送し、
前記第１の電子スイッチは、前記発光モジュール及び前記電源供給モジュールと接続され、前記電源供給モジュールから前記発光モジュールへ直流電源を供給するか否かを制御し、
前記制御モジュールは、前記受光モジュールの前記光センサ、前記電源供給モジュール及び前記第１の電子スイッチと接続され、光源信号が前記受光モジュールに入力されたか否かを前記光センサにより検知し、前記第１の電子スイッチへ信号が伝送され、前記発光モジュールのオン／オフを制御することを特徴とする、
省エネ・省電力の光ファイバコネクタ。
【請求項２】
前記制御モジュール内には、論理制御回路が設けられていることを特徴とする請求項１に記載の省エネ・省電力の光ファイバコネクタ。
【請求項３】
電源供給モジュール、受光モジュール、発光モジュール、光変換回路モジュール、第１の電子スイッチ、第２の電子スイッチ及び制御モジュールを備えた省エネ・省電力の光ファイバコネクタであって、
前記電源供給モジュールは、直流電源を供給し、
前記受光モジュールは、光源信号を受信し、前記受光モジュール内に設置された少なくとも１つの光センサにより、前記受光モジュールに光源信号が入力されたか否かを検知し、
前記発光モジュールは、光源信号を出力し、
前記光変換回路モジュールは、前記受光モジュールが受信した光源信号を変換して前記発光モジュールへ光源信号を伝送し、
前記第１の電子スイッチは、前記発光モジュール及び前記電源供給モジュールと接続され、前記電源供給モジュールから前記発光モジュールへ直流電源を出力するか否かを制御し、
前記第２の電子スイッチは、前記発光モジュール及び前記電源供給モジュールと接続され、前記電源供給モジュールから前記発光モジュールへ直流電源を供給するか否かを制御し、
前記制御モジュールは、前記光センサ、前記電源供給モジュール、前記第１の電子スイッチ及び前記第２の電子スイッチと接続され、光源信号が前記受光モジュールに入力されたか否かを前記光センサにより検知し、前記第１の電子スイッチ及び前記第２の電子スイッチへ信号が伝送され、前記受光モジュール及び前記発光モジュールのオン／オフを制御することを特徴とする、
省エネ・省電力の光ファイバコネクタ。
【請求項４】
前記制御モジュール内には、論理制御回路が設けられていることを特徴とする請求項３に記載の省エネ・省電力の光ファイバコネクタ。
【請求項５】
前記制御モジュール内には、前記論理制御回路と接続されたタイミング信号入力モジュールが設けられ、前記タイミング信号入力モジュールは、前記論理制御回路中へタイミング信号を伝送し、前記受光モジュールのオン／オフを制御することを特徴とする請求項４に記載の省エネ・省電力の光ファイバコネクタ。
【考案の詳細な説明】
【技術分野】
【０００１】
本考案は、省エネ・省電力の光ファイバコネクタに関し、特に、光源信号が入力されたときにだけ内部電源を供給して動作を行う光ファイバコネクタに関する。
【背景技術】
【０００２】
現在の通信技術は、日々進歩しており、電話、ネットワークなどの通信設備により、距離に関係無く人々は互いに連絡を取り合うことができる。通信方式には、無線方式及び有線方式があるが、無線方式の場合、天気、地形などの影響を受け易く、通信を行う際に発生する干渉問題を効果的にコントロールしたり解決したりすることができなかった。そのため、現在の所、有線方式による伝送が依然として最も有効かつ安定的な信号伝達方式であった。
【０００３】
有線方式で伝送を行う場合、ケーブルを伝送経路として用いて電気信号又は光源信号を伝送するが、特に光源信号を伝送する速度が最も速かった。光源信号の伝送媒体は光ファイバ（ｆｉｂｅｒ  ｏｐｔｉｃｓ）ケーブルであり、光ファイバ通信は、帯域が広く、軽量かつ信号の正確度が高くて伝送距離が長く、外界の電磁波による妨害を受けないなどの長所を有するため、現在の通信設備では高速通信を光ケーブルにより実現している。
【０００４】
伝送内容に応じて各光ファイバコネクタは、１〜５ワットのパワーにより光信号の伝送を行う。例えば、４８接続ポートの小型で挿抜式の交換機には、４８ワットのパワーを分配して接続ポートへ供給し、接続した光ファイバコネクタで使用するため、光ファイバケーブルの一端に、発光モジュールを利用して光源信号を出射する場合、この光源信号は光ファイバケーブルを介して他端の受光モジュールへ伝送させることができる。
【０００５】
しかし、従来の光ファイバコネクタの最大の問題点は、図１に示すように、光ファイバコネクタ１の受光モジュール１１が受光しているか否か、又は、光変換回路モジュール１４が光源信号を出力しているか否かに関わらず、伝送する光源信号を発光モジュール１２により出力する点である。
電源供給モジュール１３は、電源供給を継続的に行い、受光モジュール１１及び発光モジュール１２が常に作動している状態に維持されるため、光源信号を一定時間受信も伝送も行わない場合、電源が無駄に消費され続け、このような状況が長く続く場合、電源の浪費による損失が増大する虞がある。そのため、このような問題点を効果的に改善することができる場合、現在の光ファイバ産業に対して大きな利益となる。
【０００６】
そのため、光源信号が入力されないときには、受光モジュール又は発光モジュールへ電源を出力することがない光ファイバコネクタを使用すると、電源を無駄に消費することがない。
【考案の概要】
【考案が解決しようとする課題】
【０００７】
本考案の目的は、光源信号が入力されたときにだけ内部電源を供給し、受光モジュール又は発光モジュールの動作を起動し、大幅に消費電力を節減する省エネ・省電力の光ファイバコネクタを提供することにある。
【課題を解決するための手段】
【０００８】
上記課題を解決するために、本考案の第１の形態によれば、電源供給モジュール、受光モジュール、発光モジュール、光変換回路モジュール、第１の電子スイッチ及び制御モジュールを備えた省エネ・省電力の光ファイバコネクタであって、前記電源供給モジュールは、直流電源を供給し、前記受光モジュールは、前記電源供給モジュールと接続され、光源信号を受信し、前記受光モジュール内に設置された少なくとも１つの光センサにより、前記受光モジュールに光源信号が入力されたか否かを検知し、前記発光モジュールは、光源信号を出力し、前記光変換回路モジュールは、前記受光モジュールが受信した光源信号を変換した後、前記発光モジュールへ伝送し、前記第１の電子スイッチは、前記発光モジュール及び前記電源供給モジュールと接続され、前記電源供給モジュールから前記発光モジュールへ直流電源を供給するか否かを制御し、前記制御モジュールは、前記受光モジュールの前記光センサ、前記電源供給モジュール及び前記第１の電子スイッチと接続され、光源信号が前記受光モジュールに入力されたか否かを前記光センサにより検知し、前記第１の電子スイッチへ信号が伝送され、前記発光モジュールのオン／オフを制御することを特徴とする省エネ・省電力の光ファイバコネクタが提供される。
【０００９】
前記制御モジュール内には、論理制御回路が設けられていることが好ましい。
【００１０】
上記課題を解決するために、本考案の第２の形態によれば、電源供給モジュール、受光モジュール、発光モジュール、光変換回路モジュール、第１の電子スイッチ、第２の電子スイッチ及び制御モジュールを備えた省エネ・省電力の光ファイバコネクタであって、前記電源供給モジュールは、直流電源を供給し、前記受光モジュールは、光源信号を受信し、前記受光モジュール内に設置された少なくとも１つの光センサにより、前記受光モジュールに光源信号が入力されたか否かを検知し、前記発光モジュールは、光源信号を出力し、前記光変換回路モジュールは、前記受光モジュールが受信した光源信号を変換して前記発光モジュールへ光源信号を伝送し、前記第１の電子スイッチは、前記発光モジュール及び前記電源供給モジュールと接続され、前記電源供給モジュールから前記発光モジュールへ直流電源を出力するか否かを制御し、前記第２の電子スイッチは、前記発光モジュール及び前記電源供給モジュールと接続され、前記電源供給モジュールから前記発光モジュールへ直流電源を供給するか否かを制御し、前記制御モジュールは、前記光センサ、前記電源供給モジュール、前記第１の電子スイッチ及び前記第２の電子スイッチと接続され、光源信号が前記受光モジュールに入力されたか否かを前記光センサにより検知し、前記第１の電子スイッチ及び前記第２の電子スイッチへ信号が伝送され、前記受光モジュール及び前記発光モジュールのオン／オフを制御することを特徴とする省エネ・省電力の光ファイバコネクタが提供される。
【００１１】
前記制御モジュール内には、論理制御回路が設けられていることが好ましい。
【００１２】
前記制御モジュール内には、前記論理制御回路と接続されたタイミング信号入力モジュールが設けられ、前記タイミング信号入力モジュールは、前記論理制御回路中へタイミング信号を伝送し、前記受光モジュールのオン／オフを制御することが好ましい。
【図面の簡単な説明】
【００１３】
【図１】従来の光ファイバコネクタの内部構造を示すブロック図である。
【図２Ａ】本考案の第１実施形態に係る省エネ・省電力の光ファイバコネクタの内部構造を示すブロック図である。
【図２Ｂ】本考案の第１実施形態に係る省エネ・省電力の光ファイバコネクタを示す回路図である。
【図３Ａ】本考案の第２実施形態に係る省エネ・省電力の光ファイバコネクタの内部構造を示すブロック図である。
【図３Ｂ】本考案の第２実施形態に係る省エネ・省電力の光ファイバコネクタを示す回路図である。
【考案を実施するための形態】
【００１４】
以下、本考案の実施形態について図に基づいて説明する。なお、これによって本考案が限定されるものではない。
【００１５】
（第１実施形態）
図２Ａを参照する。図２Ａは、本考案の第１実施形態に係る省エネ・省電力の光ファイバコネクタの内部構造を示すブロック図である。図２Ａに示すように、本考案の第１実施形態に係る省エネ・省電力の光ファイバコネクタ２は、少なくとも電源供給モジュール２３、受光モジュール２１、発光モジュール２２、第１の電子スイッチ２５、制御モジュール２４及び光変換回路モジュール２６から構成される。光ファイバコネクタ２は、受光モジュール２１を介して光源信号を受信し、光ファイバコネクタ２に入力された光源信号は、光変換回路モジュール２６へ伝送されて変換される。
【００１６】
受光モジュール２１内に設置された光センサ２１１が、受光モジュール２１に光源信号が入力されたことを感知すると、光センサ２１１から制御モジュール２４へ信号が伝送される。制御モジュール２４内には論理制御回路２４１が設けられる。図２Ｂに示すように、第１実施形態で使用する論理制御回路２４１は、ＮＯＴゲート回路（ＮＯＴ  Ｇａｔｅ）であるため、まず、光センサ２１１が受光モジュール２１に光源信号が入力されたことを感知したときに、信号１が論理制御回路２４１へ入力されるように設定されている場合、論理制御回路２４１は、入力された信号１をＮＯＴゲート回路を介して０へ変換し、第１の電子スイッチ２５へ出力する。
第１の電子スイッチ２５が信号０を受信したときにスイッチをＯＦＦへ切換えるように設定されている場合、電源供給モジュール２３が供給するＤＣ電源が発光モジュール２２へ供給される。このとき光変換回路モジュール２６から出力される光源信号が発光モジュール２２中へ入力されるようになり、発光モジュール２２を介して伝送する光源信号が光ファイバコネクタ２から出力される。上述の構成から、受光モジュール２１へ光源信号が入力されない場合、電源供給モジュール２３は発光モジュール２２へ電源を供給しないため、消費電力を５０％節減することができる。
【００１７】
（第２実施形態）
図３Ａを参照する。図３Ａは、本考案の第２実施形態に係る省エネ・省電力の光ファイバコネクタの内部構造を示すブロック図である。図３Ａに示すように、第２実施形態の光ファイバコネクタ３は、第１実施形態と同様に、電源供給モジュール３３、受光モジュール３１、発光モジュール３２、第１の電子スイッチ３５及び制御モジュール３４を含むが、第２の電子スイッチ３６及びタイミング信号入力モジュール３４２が増設されている点で相違する。
そのため、受光モジュール３１が光源信号を受信して光ファイバコネクタ３へ入力されると、受光モジュール３１内に設置した光センサ３１１が光源信号を検知して受光モジュール３１へ入力されるとともに、光センサ３１１から制御モジュール３４へ信号を伝送する。制御モジュール３４内には、論理制御回路３４１及びタイミング信号入力モジュール３４２が設けられる。
【００１８】
図３Ｂに示すように、第２実施形態で使用される論理制御回路３４１は、ＡＮＤゲート回路及びＯＲゲート回路であり、同様に、まず、光センサ３１１により光源信号が受光モジュール３１に入力されたときに、信号１が論理制御回路３４１へ入力されるように設定する。
第２実施形態は、信号１をＡＮＤゲート回路及びＯＲゲート回路へそれぞれ入力するが、ＯＲゲート回路にとっては、タイミング信号入力モジュール３４２がタイミング信号をＯＲゲート回路へ入力するため、タイミング信号が０のときに、光センサ３１１が入力するＯＲゲート回路の信号が１である場合、ＯＲゲート回路から第２の電子スイッチ３６へ信号０が出力され、スイッチがＯＦＦへ切換る。そのため、電源供給モジュール３３から受光モジュール３１へＤＣ電源が供給されると、受光モジュール３１が作動し、光源信号が光変換回路モジュール３７へ入力されて光源信号が変換される。
【００１９】
ＡＮＤゲート回路にとっては、光センサ３１１が入力するＡＮＤゲート回路の信号が１である場合、ＡＮＤゲート回路の出力は１となる。第２実施形態は、第１実施形態で使用する論理ゲートと異なるため、スイッチモジュールの設定も相違する。
本実施形態において第１の電子スイッチ３５が信号１を受信してスイッチをＯＦＦに切換える。反対に、信号０を受信するとスイッチがＯＮに切換るため、第１の電子スイッチ３５が受信した光センサ３１１が入力する信号が１であるとき、スイッチを自動的にＯＦＦへ切換える。そのため、電源供給モジュール３３が供給するＤＣ電源が発光モジュール３２中へ入力されると、発光モジュール３２の動作を開始し、このとき光変換回路モジュール３７から発光モジュール３２へ光源信号が伝送され、発光モジュール３２を介して光ファイバコネクタ３から光源信号が出力される。
【００２０】
上述の構成により、光源信号が受光モジュール３１に入力されないとき、電源供給モジュール３３は受光モジュール３１及び発光モジュール３２へ電源を供給することがない。そのため消費電力が５０％節減され、光源信号が受光モジュール３１に入力されるときにタイミング信号を使用して制御して０と１との間で継続的に切換えられるため、受光モジュール３１の電源供給を２５％節減することができる。両者を加えた場合、消費電力を７５％節減することができるが、タイミング信号入力モジュール３４２を使用せずにタイミング信号を入力して制御してもよく、この場合、消費電力を５０％節減することができる。
【００２１】
上述したことから分かるように、本考案の省エネ・省電力の光ファイバコネクタは、従来技術と比べて、光源信号を受信したときにだけ内部電源を供給し、受光モジュール又は発光モジュールをオンして動作を行うため、エネルギが大幅に節減され、電源消費量を最高で７５％節約することができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１      光ファイバコネクタ
２      光ファイバコネクタ
３      光ファイバコネクタ
１１    受光モジュール
１２    発光モジュール
１３    電源供給モジュール
１４    光変換回路モジュール
２１    受光モジュール
２２    発光モジュール
２３    電源供給モジュール
２４    制御モジュール
２５    第１の電子スイッチ
２６    光変換回路モジュール
３１    受光モジュール
３２    発光モジュール
３３    電源供給モジュール
３４    制御モジュール
３５    第１の電子スイッチ
３６    第２の電子スイッチ
３７    光変換回路モジュール
２１１  光センサ
２４１  論理制御回路
３１１  光センサ
３４１  論理制御回路
３４２  タイミング信号入力モジュール
【図１】
0003189880.tif 000003
【図２Ａ】
0003189880.tif 000004
【図２Ｂ】
0003189880.tif 000005
【図３Ａ】
0003189880.tif 000006
【図３Ｂ】
0003189880.tif 000007